(57)【特許請求の範囲】
【請求項１】
ロータリフレームの回転軸線と同心の円上で、自由に回転できるように前記ロータリフレームに取り付けられた幾つかのニードルローラを有し、該ニードルローラの各１つが、通過するウェブ材料に穿孔する目的でバックアップローラとそれぞれ相互作用する構成のニードルローラ構造において、前記各ニードルローラは、前記ロータリフレームに取り付けられるとともに、ブラシローラから持ち上げることができるように構成され、前記ニードルローラを前記ブラシローラから離れる方向に持ち上げ、および、前記ニードルローラを前記ブラシローラ上に配置する装置が、前記ブラシローラと相互作用する前記ニードルローラに、それぞれ設けられることを特徴とするニードルローラ構造。
【請求項２】
前記ロータリフレームは２つのディスクを有しており、前記２つのディスクは機械フレームの内側に配置された中央軸に取り付けられており、それによって、前記ニードルローラの軸の端部領域は、前記ディスクに案内されることを特徴とする請求項１に記載のニードルローラ構造。
【請求項３】
前記ニードルローラの軸の前記端部領域は、前記ディスクのガイド内で移動できるように構成され、前記ディスクの中心線は、作動位置において、前記それぞれのニードルローラの軸、および、前記中央軸と交差するように構成されることを特徴とする請求項２に記載のニードルローラ構造。
【請求項４】
前記ニードルローラの軸の前記端部領域は、ガイド内で、ばねの力に抗して前記中央軸の方向に移動できるように構成されることを特徴とする請求項２又は３に記載のニードルローラ構造。
【請求項５】
前記ニードルローラは、自由に回転できるように前記ニードルローラの軸に取り付けられており、前記ニードルローラの軸の前記端部領域は、前記ディスクのガイド内で案内され、したがって、前記ニードルローラは、長手方向に変位できるように構成されることを特徴とする請求項２から４のいずれか１項に記載のニードルローラ構造。
【請求項６】
前記それぞれのニードルローラを前記ブラシローラから離れる方向に持ち上げるためのレバーおよびローラが、前記ニードルローラの軸の前記端部領域に設けられることを特徴とする請求項２から５のいずれか１項に記載のニードルローラ構造。
【請求項７】
作動位置にある前記ニードルローラを間欠的に持ち上げるために、ロールが、自由に回転できるようにレバーに取り付けられ、前記レバーは回転カム板により駆動されることを特徴とする請求項１から５のいずれか１項に記載のニードルローラ構造。
【請求項８】
前記ブラシローラと係合する前記ニードルローラを変更することを目的とする駆動装置が、前記中央軸に設けられることを特徴とする請求項２から６のいずれか１項に記載のニードルローラ構造。
【発明の詳細な説明】
【０００１】
【発明の属する技術分野】
本発明は、ロータリフレームの回転軸線と同心の円上で、自由に回転できるようにロータリフレームに取り付けられた幾つかのニードルローラからなるニードルローラ構造であって、ニードルローラの１つが、ニードルローラ構造を通過するウェブ材料に穿孔する目的で、それぞれ、バックアップローラ（好ましくはブラシローラ）と相互作用するように構成されたニードルローラ構造に関する。
【０００２】
【従来の技術】
ニードルローラは、例えば、バッグに通気性を与える目的のチャンネルを形成するため、バッグの製造時に、紙または合成材料のウェブに穿孔するのに使用される。ウェブに種々の穿孔パターンおよび／または直径の異なる孔を形成するため、ロータリフレームには幾つか（好ましくは４つ）のニードルローラがリボルバー形の態様で配置されており、それぞれの所望のニードルローラを迅速且つ簡単にブラシローラ上に位置決めして該ブラシローラと相互作用させることができる。ロータリフレームでのニードルローラのリボルバー形取付け構造は、種々の孔および／または穿孔パターンを付与するだけでなく、摩耗したニードルローラの交換にも有効である。１つのニードルローラのニードルが鈍くなると、他のニードルローラが作動位置に回転され且つ取り外されたニードルローラが交換される。
【０００３】
例えばバッグの製造時には、ニードルローラが、通過するウェブ材料に連続作用しないようにする必要がある。なぜならば、穿孔は、バッグの組立て時に、後で接着剤で覆われる領域（例えば、横方向接着ストリップ）には望まれないからである（このような領域に穿孔すると、接着剤が孔を通過してしまうからである）。このため、既知のニードルローラ構造では、係合しているニードルローラをブラシローラから引き離すため、ロータリフレームが、好ましくは機械のリズムに従って全てのニードルローラと一緒に持ち上げられ、その後再び組立体が回転される。しかしながら、この構造は、ロータリフレームとニードルローラとの係合および係合解除を行なうためには、かなりの重量を加速し且つその後に制動しなければならず、このため摩耗および裂けが増大し且つ作業が粗雑になるという欠点がある。
【０００４】
【発明が解決しようとする課題】
従って、本発明の課題は、冒頭に述べた形式のニードルローラ構造であって、エネルギ消費の小さな態様で、ブラシローラと相互作用するニードルローラをブラシローラから離れる方向に持ち上げ且つ再び戻すことができるニードルローラ構造を提供することにある。
【０００５】
【課題を解決するための手段】
本発明によれば、冒頭に述べた形式のニードルローラ構造に関する上記課題は、各ニードルローラがブラシローラから持ち上げられるようにロータリフレームに座合しており、且つブラシローラと相互作用するそれぞれのニードルローラには、ブラシローラから持ち上げ且つ再びブラシローラに戻す構造が設けられていることにより解決される。
このため、本発明のニードルローラ構造では、ブラシローラと相互作用する個々のニードルローラが、エネルギ消費の小さな態様で、ブラシローラから離れる方向に持ち上げられ且つブラシローラ上に配置される。これは、重量の小さな１つのニードルローラのみが移動され、ロータリフレームと共に全てのニードルローラが移動される構成ではないことによる。
【０００６】
好ましくは、ロータリフレームは、ニードルローラが取り付けられるフレームに配置される中央軸に取り付けられた２つのディスクを有する。ディスクの代わりに、ニードルローラを取り付けるスポーク形キャリヤを設けることができ、他の支持構造でもよい。
ニードルローラの座はディスクのガイド内で変位でき、該ガイドの中心線は、作動位置において、それぞれのニードルローラおよび中央軸の軸線と交差する。作動位置にあるそれぞれのニードルローラを迅速且つ簡単に持ち上げることができるようにするため、ニードルローラの座は、ガイド内で、ばねの力に抗して中央軸の方向に移動できるように構成できる。
本発明の他の実施例では、ニードルローラは自由に回転できるように軸上に取り付けられており、該軸の端部領域はディスクすなわち取付け部材のガイド内で長手方向に摺動できる。
【０００７】
ニードルローラの軸の座すなわち端部領域には、それぞれのニードルローラをブラシローラから離れる方向に持ち上げるレバー、プッシュロッドまたはローラと係合できる面またはガイドソケットを設けることができる。
作動位置にあるニードルローラを間欠的に持ち上げるため、回転カム板により駆動されるレバー装置および／またはプッシュロッドを設けることができる。好ましくは、カム板は、例えば、後で接着剤が塗布されるウェブ領域には穿孔を省略できる機械のリズムで駆動される。
中央軸には、ブラシローラと係合するニードルローラを変更することを目的とする駆動手段を設けることができる。この駆動手段は手動操作形駆動手段またはサーボモータで構成できる。
【０００８】
【発明の実施の形態】
以下、本発明の一例を添付図面を参照して詳細に説明する。本発明のニードルローラ構造は、機械フレームの側方部材（１、２）に取り付けられた中央軸（３）を有し、該中央軸（３）には、回転させることを目的とする駆動手段（ハンドクランク（４）の形態をなす簡単な例で示してある）が設けられている。２つのディスク（５、６）が前記中央軸（３）に取り付けられており、直径方向の線に沿って配置されたガイド（矩形部分（７〜１０）として簡単な形態で示してある）が、前記ディスク（５、６）に設けられている。ニードルローラ（１３〜１６）が自由に回転できるように取り付けられたローラ軸（１２）の四角形断面の端部（１１）は、前記矩形部分内で、回転はできないけれども長手方向には変位できるように案内される。ニードルローラ（１３〜１６）は円筒体からなり、該円筒体のカバーには、所望の長さ、直径および任意のパターンをもつラジアルニードルが設けられている。
【０００９】
正方形部材からなる軸（１２）の端部（１１）は、ばね（１８）により、半径方向外方に向かって押圧されている。本質的には、ばねの代わりに、空気ばねまたは皿ばねのカップ作用を使用でき、または減衰要素と組み合わせたばねユニットを設けることができる。
リボルバー形のロータリフレーム（３、５、６）の下で、側方部材（１、２）には、バックアップローラ（２０）（図示の例では、ブラシローラ）が自由に回転できる態様で取り付けられている。
駆動手段（４）により、中央軸（３）は、下方のニードルローラ（１５）とブラシローラ（２０）とが相互作用する位置に回転される。下方のニードルローラ（１５）のこの位置は、ストッパ（図示せず）により固定される。
【００１０】
リボルバー形ロータリフレームにより作動位置に回転されているニードルローラを、機械のリズムに従ってバックアップローラ（２０）から離れる方向に持ち上げることができるようにするため、側方部材（２）にはカム板（２４）が回転可能に取り付けられており且つ機械のリズムまたは与えられた加工ストロークに従って回転駆動される。このカム板（２４）上でロール（２５）が回転し、該ロール（２５）はレバー（２６）上で自由に回転できるように取り付けられており、該レバー（２６）は、自由に回転できる態様で側方部材（１、２）に取り付けられた軸（２７）にくさび止めされている。軸（２７）の自由端には互いに平行な２つのレバー（２８、２９）が取り付けられており、該レバー（２８、２９）の自由端にはローラ（３０、３１）が自由に回転できるように取り付けられている。これらのローラ（３０、３１）は、作動位置にあるそれぞれのニードルローラ（１５）の軸の端部（１１）の作動面と相互作用し、ニードルローラ（１５）がばね（１８）の作用に抗してブラシローラ（２０）から持ち上げられ、ニードルが、ブラシローラ（２０）を通るウェブ材料（３３）とは係合しなくなるようにする。
【００１１】
バッグの製造時に、多層ホース（チューブ）に集合されるウェブ材料の穿孔ができるように、ロータリフレームにリボルバー形の態様で取り付けられたニードルローラの構造は、例えば、ドイツ国特許第195 15 167.4号（１９９５年２月８日付ドイツ国特許出願第195 15 167.4-22 号）から知られている。本発明のニードルローラ構造のこれ以上の説明は、このドイツ国特許を参照されたい。
【図面の簡単な説明】
【図１】ニードルローラ構造を示す概略側面図である。
【図２】図１の矢印Ａの方向から見たニードルローラ構造を示す図面である。
【符号の説明】
３  中央軸
４  ハンドクランク（駆動手段）
１５  ニードルローラ
２０  バックアップローラ（ブラシローラ）
２４  カム板
３３  ウェブ材料
【図１】
0003795597.tif 000002
【図２】
0003795597.tif 000003